(57)【要約】【課題】住宅、ビル等の建築物の屋内外又は繁華街等に設置される防犯装置の犯罪抑止効果を向上させる。【解決手段】内蔵されたカメラ２による撮影のための撮影窓４が形成された筐体６と、撮影窓４の近傍に一体的に取り付けられた目線引付手段８と、を具備しており、目線引付手段８が、カメラ２が作動中である旨の文字を発光して表示する表示面１０を備えている。【選択図】図１
2015162157.tif 000002
【特許請求の範囲】
【請求項１】
内蔵されたカメラによる撮影のための撮影窓が形成された筐体と、
前記筐体の前記撮影窓の近傍に一体的に取り付けられ、前記撮影窓に目線を引き付けるための目線引付手段と、を具備し、
前記目線引付手段が、前記カメラが作動中である旨の文字を発光して表示するものであることを特徴とする防犯装置。
【請求項２】
前記目線引付手段の発光する文字の表示面が向いている方向と、前記撮影窓が向いている方向とが、同一に設定されていることを特徴とする請求項１記載の防犯装置。
【請求項３】
前記目線引付手段が、発光する文字の発光態様を制御する制御装置を具備し、前記制御装置によって前記文字の輝度が変化する又は前記文字が移動することを特徴とする請求項１又は２記載の防犯装置。
【請求項４】
カメラの撮影口の近傍に一体的に取り付けられ、前記撮影口に目線を引き付けるための目線引付手段を具備し、
前記目線引付手段が、前記カメラが作動中である旨の文字を発光して表示するものであることを特徴とする防犯装置。
【発明の詳細な説明】
【技術分野】
【０００１】
本発明は、犯罪抑止を目的として、住宅、ビル等の建築物の屋内外又は繁華街等に設置される防犯装置に関するものである。
【背景技術】
【０００２】
現在、犯罪抑止を目的として防犯カメラなどの防犯装置が住宅、ビル等の建築物の屋内外、駐車場、繁華街等に設置されている。例えば、特許文献１には、建物内へ侵入しようとする窃盗犯の予防、撃退のために、警備会社が警戒中であることを予告する防犯装置が記載されている。この防犯装置は、広告パネルを備えた筐体の天板上に防犯カメラが設置されており、公告パネルに「警戒中」の文字が表示されている。そして、広告パネルの内部に備えられた照明蛍光灯が光ることにより広告パネルが光り、警備会社が警戒中であることを侵入者に予告している。
【０００３】
また、例えば特許文献２には、エレベータの防犯装置として、エレベータの乗りかごの天井面の隅奥に設置された防犯カメラと、乗りかごの奥の壁面上部に複数のLEDから構成される光学表示器とが記載されている。この防犯装置では、乗りかご内に設置された人感センサがエレベータの利用者を検知すると、LEDが点灯して光学表示器に「防犯カメラ作動中」の文字が表示され、利用者に防犯カメラの存在が報知される。
【０００４】
また、例えば特許文献３に記載の防犯装置では、小型カメラをそのレンズ部が露出するように筒状等のケースに収納し、そのレンズ部の上方に「防犯カメラ作動中」の文字が記入されたものを表示して撮像中である旨を警告している。
【０００５】
しかしながら、特許文献１に記載の防犯装置は、広告パネルが光って警備会社が警戒中であることを侵入者に予告して犯罪を予防するものであり、防犯カメラが作動していることを侵入者に認識させるようには構成されていない。
また、特許文献２に記載の防犯装置では、光学表示器において「防犯カメラ作動中」の文字が光ることにより、エレベータ利用者に防犯カメラが作動していることを知らせるが、光学表示器とカメラの設置場所とが離れているので、その文字を見たときに、利用者の目線が直ちにカメラに向くようには構成されていない。
また、特許文献３に記載の防犯装置では、「防犯カメラ作動中」の文字が印刷されたものが表示されているだけなので、その文字がレンズ部の近傍にあっても、その文字に気が付かなければ、レンズ部に目線が向けられることはない。
【先行技術文献】
【特許文献】
【０００６】
【特許文献１】実用新案登録第３０６６０１２号公報
【特許文献１】特開２００８−２４４１４号公報
【特許文献１】特開２０１０−２０６７６３号公報
【発明の概要】
【発明が解決しようとする課題】
【０００７】
そこで本発明は、上記問題点を解決すべくなされたものであり、防犯カメラが作動中であることを認識させるとともに自分の行為がカメラに撮影されたと確実に認識させることにより、犯罪抑止効果を十分に発揮させることをその主たる課題とするものである。
【課題を解決するための手段】
【０００８】
すなわち本発明に係る防犯装置は、内蔵されたカメラによる撮影のための撮影窓が形成された筐体と、前記筐体の前記撮影窓の近傍に一体的に取り付けられ、前記撮影窓に目線を引き付けるための目線引付手段と、を具備し、前記目線引付手段が、前記カメラが作動中である旨の文字を発光して表示するものであることを特徴とする。
【０００９】
また、本発明に係る防犯装置は、カメラの撮影口の近傍に一体的に取り付けられ、前記撮影口に目線を引き付けるための目線引付手段を具備し、前記目線引付手段が、前記カメラが作動中である旨の文字を発光して表示するものであることを特徴とする。
【００１０】
このような構成であれば、上記目線引付手段において、カメラが作動中である旨の文字が発光して表示されているので、まずその発光している文字に目線が行き、その人は、その文字によりカメラが作動中であることを知る。そして、目線引付手段が筐体の撮影窓又はカメラの撮影口の近傍に一体的に設けられているので、直ちに撮影窓又はカメラの撮影口に目線が引き付けられる。すると、その人は、撮影窓又はカメラの撮影口と目が合い、自分の行為がカメラに撮影されたと自覚する。したがって、犯罪行為をしようと思っていた場合は、その行為を思いとどまるようになり、犯罪抑止効果が確実に発揮される。
【００１１】
また、本発明に係る防犯装置は、前記目線引付手段の発光する文字の表示面が向いている方向と、前記撮影窓が向いている方向とが、同一に設定されていることを特徴とする。
このような構成であれば、文字の表示面と撮影窓とが同一の方向を向いているので、表示面と撮影窓とがほぼ同時に視界に入るようになる。したがって、表示面に目線が行くとほぼ同時に撮影窓に目線が引き付けられ、撮影窓と目線が合って自分の行為が確実にカメラに撮影されたと自覚し、犯罪抑止効果がより確実に発揮される。
【００１２】
また、本発明に係る防犯装置は、前記目線引付手段が、発光する文字の発光態様を制御する制御装置を具備し、前記制御装置によって前記文字の輝度が変化する又は前記文字が移動することを特徴とする。
このような構成であれば、制御装置によって文字が色々な態様で発光して表示されるので、目線引付手段にさらに目線が行きやすくなり、目線引付手段に気付いた人は直ちに撮影窓に目線が引き付けられて犯罪抑止効果がより確実に発揮される。
【発明の効果】
【００１３】
このように構成した本発明によれば、目線引付手段に目線が行くと直ちに撮影窓又はカメラの撮影口に目線が引き付けられるので、カメラが作動中であるとともに自分の行為がカメラに撮影されたということを確実に認識するようになり、犯罪抑止効果が十分に発揮される。
【図面の簡単な説明】
【００１４】
【図１】本発明の第１実施形態の防犯装置の構成を概略的に示す斜視図。
【図２】本発明の第２実施形態の防犯装置の構成を概略的に示す斜視図。
【図３】本発明の第１及び第２実施形態の防犯装置の目線引付手段の構成を概略的に示す斜視図。
【図４】本発明の第３実施形態の防犯装置の構成を概略的に示す斜視図。
【発明を実施するための形態】
【００１５】
以下に本発明に係る防犯装置の各実施形態について図面を参照して説明する。
【００１６】
１．第１実施形態
第１実施形態に係る防犯装置１００は、カメラを内蔵した筐体の撮影窓の近傍に目線引付手段が一体的に取り付けられたものである。
【００１７】
具体的には、図１に示すように、防犯装置１００は、内蔵されたカメラ２による撮影のための撮影窓４が形成された筐体６と、撮影窓４の近傍に一体的に取り付けられ、撮影窓４に目線を引き付けるための目線引付手段８と、を具備しており、目線引付手段８が、カメラ２が作動中である旨の文字を発光して表示する表示面１０を備えている。
【００１８】
防犯装置１００は、筐体６の下面略中央に備えられた壁面取付具１２を介して、図示しない住宅、ビル等の屋外や屋内または繁華街の建物等の壁面に設置される。壁面取付具１２は可動部１３を有しているので、それにより、筐体６を所望の通りに動かして犯罪を抑止したい領域に撮影窓４が向けられる。筐体６の中にはカメラ２が固定されるように収容されており、また、カメラ２の撮影口１４から該領域を撮影できるように撮影窓４が設けられている。なお、撮影窓４には、例えば光透過性の樹脂パネル等が嵌められるようにしてもよいし、何も嵌められずに開けられたままでもよい。
【００１９】
撮影窓４の近傍に目線引付手段８が筐体６と一体的に設けられている。本実施形態では、筐体６の下面であって、撮影窓４の真下に、図３に示す取付具１６を介してボルト・ナット等を用いて目線引付手段８と筐体６とが固定されて一体的に取り付けられている。
目線引付手段８は、図３に示すように、開口部９を有した筐体１１と、開口部９に設けられたケーシング１５と、ケーシング１５に嵌められたディスプレイ１７と、筐体１１の内部に設けられた制御装置１８と、を備えている。ディスプレイ１７は、数個のLEDと、そのLEDの光を反射させる反射板と、表示させたい文字部分に孔を開けてその孔に反射板による反射光を通過させてその文字を表示させる文字シートと、を備えており、その文字シートによって表示面１０が構成されている。LEDはディスプレイ１７の下部に数個配置されて上方向に発光するように設けられ、その光を反射板により反射させて文字シートにその反射光を当てて通過した反射光によって表示面１０に文字を表示する。LEDは、制御装置１８によってその輝度が変化し、様々な発光態様を有する。制御装置１８は、LEDに流れる電流値を調整する制御回路を備えており、その制御回路によってLEDの輝度を調整して所望の通りに発光態様を変化させることができる。
【００２０】
あるいは、ディスプレイ１７の表示面１０は、複数のLEDが文字を表示できるように配列されて構成されていてもよい。このような場合、制御装置１８は、さらに演算処理装置と記憶装置とを有しており、LEDで表示される文字の輝度や色を変化させたり、文字が動いて見えるように移動させる等のプログラムが記憶装置に格納されており、そのプログラムが演算処理装置によって実行されて発光態様が制御される。
なお、本実施形態では、表示面１０に「監視中」と表示されているがこれに限らず、カメラが作動中である旨を表示する他の文字が表示されていてもよい。
この表示面１０が向いている方向D１と、撮影窓４が向いている方向D２とは、図１で示すように同一に設定されており、例えば、筐体６に目線引付手段８を取り付けるときに、取付具１６による取付位置の調整によって同じ方向を向くようにされている。
【００２１】
防犯装置１００がこのように構成されているので、目線引付手段８の表示面１０にカメラ２が作動中である旨の文字が発光して表示され、人の目線が、その発光している文字に行き、その人は、その文字によりカメラ２が作動中であることを知る。そして、目線引付手段８が撮影窓４の近傍に一体的に設けられているので、直ちに撮影窓４に目線が引き付けられる。すると、その人は、撮影窓４と目が合い、自分の行為がカメラ２に撮影されたと自覚する。したがって、犯罪行為をしようと思っていた場合は、その行為を思いとどまるようになり、犯罪抑止効果が確実に発揮される。
また、発光する文字の表示面１０の方向D１と撮影窓４の方向D２とが同一の方向を向いているので、表示面１０と撮影窓４とがほぼ同時に視界に入るようになる。したがって、表示面１０に目線が行くとほぼ同時に撮影窓４に目線が引き付けられ、撮影窓４と目線が合って自分の行為が確実にカメラ２に撮影されたと自覚し、犯罪抑止効果がより確実に発揮される。
【００２２】
さらに、制御装置１８によって表示面１０の文字が色々な態様で発光するように制御されているので、目線引付手段８にさらに目線が行きやすくなり、目線引付手段８に気付いた人は直ちに撮影窓４に目線が引き付けられて犯罪抑止効果がより確実に発揮される。
【００２３】
２．第２実施形態
第２実施形態に係る防犯装置２００は、カメラの撮影口の近傍に目線引付手段が一体的に取り付けられたものである。
【００２４】
具体的には、図２に示すように、防犯装置２００は、カメラ２２の撮影口３４の近傍に一体的に取り付けられた目線引付手段８と、を具備しており、目線引付手段８が、カメラ２２が作動中である旨の文字を発光して表示する表示面１０を備えている。
【００２５】
防犯装置２００は、防犯装置１００と同様に、壁面取付具１２を介して住宅等の所望の場所に設置される。カメラ２２は、例えば、屋外に設置される場合は防水構造等が施されて雨等により損傷を受けないようになっている。
【００２６】
カメラ２２の撮影口３４の近傍に、第１実施形態と同様の構成を備えた目線引付手段８がカメラ２２と一体的に設けられている。本実施形態では、カメラ２２の下面であって、撮影口３４の下方に、取付具１６を介してカメラ２２とネジ等で固定され一体的に取り付けられている。
この表示面１０が向いている方向D３と、撮影口３４が向いている方向D４とは、図２で示すように同一に設定されており、例えば、カメラ２２に目線引付手段８を取り付けるときに、取付具１６による取付位置の調整によって同じ方向を向くようにされている。
【００２７】
防犯装置２００がこのように構成されているので、目線引付手段８において、カメラ２２が作動中である旨の文字が発光して表示されているので、まずその発光している文字に目線が行き、その人は、その文字によりカメラが作動中であることを知る。そして、目線引付手段８がカメラの撮影口３４の近傍に一体的に設けられているので、直ちにカメラの撮影口３４に目線が引き付けられる。すると、その人は、カメラの撮影口３４と目が合い、自分の行為がカメラ２２に撮影されたと自覚する。したがって、犯罪行為をしようと思っていた場合は、その行為を思いとどまるようになり、犯罪抑止効果が確実に発揮される。
【００２８】
３．第３実施形態
第３実施形態に係る防犯装置３００は、カメラを内蔵したドーム型の筐体の撮影窓の近傍に目線引付手段が一体的に取り付けられたものである。
【００２９】
具体的には、図４に示すように、防犯装置３００は、内蔵されたカメラ４２による撮影のための撮影窓４４が形成されたドーム型の筐体４６と、撮影窓４４の近傍に一体的に取り付けられた目線引付手段４８と、を具備しており、目線引付手段４８が、カメラ４２が作動中である旨の文字を発光して表示する表示面５０を備えている。
【００３０】
防犯装置３００は、壁面取付具５２を介して住宅等の所望の場所に設置される。ドーム型の筐体４６の中にカメラ４２が固定されるように収容されており、筐体４６には、カメラ４２の撮影口５４から犯罪を抑止したい領域を撮影できるように撮影窓４４が設けられている。撮影窓４４の近傍に目線引付手段４８が筐体４６と一体的に設けられている。撮影窓４４には、第１実施形態の撮影窓４と同様に、樹脂パネル等が備えられてもよいし、開いたままでもよい。
【００３１】
本実施形態では、目線引付手段４８は、筐体４６の一部であって、撮影窓４４の上方に取付具を用いて一体的に取り付けられている。目線引付手段４８は、第１実施形態で説明したものと同様な構成で表示面５０が形成されており、表示面５０にカメラが作動中である旨の文字が発光して表示される。また目線引付手段４８は、制御装置５８を備えており、その構成は制御装置１８と同様である。
この表示面５０が向いている方向D５と撮影口５４が向いている方向D６とは図４で示すように同一に設定されており、筐体４６に目線引付手段４８を取り付けるときに、撮影口５４が向いている方向D６と、表示面５０の方向D５とが同一方向になるように、取付具による取付位置等を調整して取り付けらていれる。
【００３２】
このようなドーム型の筐体を備えた防犯装置３００においても、目線引付手段４８の表示面５０にカメラ４２が作動中である旨の文字が発光して表示され、目線引付手段４８が撮影窓４４の近傍に一体的に設けられており、撮影口３４が向いている方向D６と表示面５０が向いている方向D５とが同一に設定されているので、人の目線がその発光している文字に行き、その文字によりカメラ４２が作動中であることを知るとともに、直ちに撮影口５４により目線が引き付けられ、自分の行為がカメラに撮影されたと自覚するので、犯罪抑止効果がより確実に発揮される。
【００３３】
なお、本発明は上述した実施形態に限られるものではない。例えば、第１実施形態では、目線引付手段８は撮影窓４の真下に設けられているが、これに限らず、筐体６の側面であって撮影窓４の左右の真横や、筐体６の上面であって撮影窓４の真上に設けるようにしてもよく、要するに、方向D1と方向D２とが同一方向になるように目線引付手段８が撮影窓４の近傍に一体的に設けられていればよい。第２実施形態においても同様に、目線引付手段２８の位置は撮影口３４の下方には限られない。
【００３４】
また、目線引付手段の表示面１０、５０は、液晶パネル、有機ELパネル等から構成されていてもよく、カメラが作動中である旨の文字を発光して表示できるものであればよい。
さらに、目線引付手段は筐体又はカメラに取付具によって取り付けられているがこれに限らず、例えば接着剤や粘着テープ等を用いて取り付けられてもよい。
【００３５】
なお、図示していないが、撮影された映像は、カメラ２，２２，４２内部に設けられた着脱可能な記録媒体に記録され、その記録媒体をコンピュータ等に接続して映像を視聴できるようにしてもよい。または、カメラ２、２２、４２は、別の場所に設けられたモニタと記憶装置とに有線又は無線で接続されて、そのモニタで監視者が監視でき、記録装置に映像が記録されるようにしてもよい。
【００３６】
その他、本発明は前記実施形態に限られず、その趣旨を逸脱しない範囲で種々の変形が可能であるのは言うまでもない。
【符号の説明】
【００３７】
１００、２００、３００・・・防犯装置
２、２２、４２・・・カメラ
４、４４・・・撮影窓
６，４６・・・筐体
８、４８・・・目線引付手段
９・・・開口部
１０、５０・・・表示面
１１・・・筐体
１２、５２・・・壁面取付具
１３・・・可動部
１４、３４、５４・・・撮影口
１５・・・ケーシング
１６・・・取付具
１７・・・ディスプレイ
１８、５８・・・制御装置
【図１】
2015162157.tif 000003
【図２】
2015162157.tif 000004
【図３】
2015162157.tif 000005
【図４】
2015162157.tif 000006